(57)【要約】【課題】臨場感を感じることが可能な画像表示装置を提供する。【解決手段】画像表示装置１は、放送局１００から放送波によって送信された動画を受信する第１受信部２１と、通信ネットワークを介してサーバ１２０から伝送された１又は複数の動画を受信する第２受信部３４と、第１受信部３１で受信された動画と第２受信部３４で受信された１又は複数の動画との同期を取る同期部３６と、同期部３６によって同期が取られた動画のうち、いずれか１つの動画を表示する第１画像出力部１０と、同期部３６によって同期が取られた動画のうち、第１画像出力部１０で表示される動画を除く他の動画をそれぞれ表示する１又は複数の第２画像出力部２０と、を備える。【選択図】図３
2015195541.tif 000002
【特許請求の範囲】
【請求項１】
放送局から放送波によって送信された動画を受信する第１受信部と、
通信ネットワークを介してサーバから伝送された１又は複数の動画を受信する第２受信部と、
前記第１受信部で受信された動画と前記第２受信部で受信された１又は複数の動画との同期を取る同期部と、
前記同期部によって同期が取られた動画のうち、いずれか１つの動画を表示する第１画像出力部と、
前記同期部によって同期が取られた動画のうち、前記第１画像出力部で表示される動画を除く他の動画をそれぞれ表示する１又は複数の第２画像出力部と、
を備える画像表示装置。
【請求項２】
前記第２画像出力部は、音のレベルに応じて、表示している動画について拡大表示を行う
請求項１に記載の画像表示装置。
【請求項３】
前記第２画像出力部が複数ある場合、複数の前記第２画像出力部それぞれに対して、動画を優先的に表示する１つの主画像出力部と、前記主画像出力部を除く他の第２画像出力部である従画像出力部とのいずれかが設定され、
前記主画像出力部は、複数の前記第２画像出力部それぞれで表示される動画のうち、音のレベルに応じて選択された１つの動画を表示し、
前記従画像出力部は、複数の前記第２画像出力部それぞれで表示される動画のうち、前記主画像出力部で表示される動画を除く他の動画を表示する
請求項１に記載の画像表示装置。
【請求項４】
前記第１画像出力部は、テレビディスプレイであり、
前記第２画像出力部は、プロジェクタである
請求項１から３のいずれか１項に記載の画像表示装置。
【請求項５】
スピーカと、
前記第１受信部で受信した動画の音の音量と、前記第２受信部で受信した動画の音の音量とをそれぞれ調整して、それぞれの音を前記スピーカから出力させる制御部と、
を備える請求項１から４のいずれか１項に記載の画像表示装置。
【発明の詳細な説明】
【技術分野】
【０００１】
本発明は、動画を表示する画像表示装置に関する。
【背景技術】
【０００２】
近年のテレビジョンには、放送波を受信することに基づいて取得したコンテンツと、通信回線によって伝送されたコンテンツとを取得し、タブレット型コンピュータ等と連携を取ることにより、取得したコンテンツの少なくとも一部をタブレット型コンピュータで視聴可能にしたタイプがある。
【先行技術文献】
【非特許文献】
【０００３】
【非特許文献１】武智秀 他、「Ｈｙｂｒｉｄｃａｓｔを支える技術」、ＮＨＫ技研Ｒ＆Ｄ、２０１２年、１３３号、２０−２７頁
【発明の概要】
【発明が解決しようとする課題】
【０００４】
一般的に、タブレット型コンピュータの画面は、テレビジョンの画面よりも小さい。このため、取得した複数のコンテンツの全てに対して迫力及び臨場感を求めるユーザにとっては、タブレット型コンピュータで視聴するコンテンツに迫力及び臨場感を感じない可能性がある。すなわち、一部のユーザは、従来の技術では物足りないと感じる可能性がある。
【０００５】
本発明は、臨場感を感じることが可能な画像表示装置を提供することを目的とする。
【課題を解決するための手段】
【０００６】
画像表示装置は、放送局から放送波によって送信された動画を受信する第１受信部と、通信ネットワークを介してサーバから伝送された１又は複数の動画を受信する第２受信部と、前記第１受信部で受信された動画と前記第２受信部で受信された１又は複数の動画との同期を取る同期部と、前記同期部によって同期が取られた動画のうち、いずれか１つの動画を表示する第１画像出力部と、前記同期部によって同期が取られた動画のうち、前記第１画像出力部で表示される動画を除く他の動画をそれぞれ表示する１又は複数の第２画像出力部と、を備える。
【０００７】
前記第２画像出力部は、音のレベルに応じて、表示している動画について拡大表示を行うことが好ましい。
【０００８】
画像表示装置では、前記第２画像出力部が複数ある場合、複数の前記第２画像出力部それぞれに対して、動画を優先的に表示する１つの主画像出力部と、前記主画像出力部を除く他の第２画像出力部である従画像出力部とのいずれかが設定されることが好ましい。この場合、前記主画像出力部は、複数の前記第２画像出力部それぞれで表示される動画のうち、音のレベルに応じて選択された１つの動画を表示する。前記従画像出力部は、複数の前記第２画像出力部それぞれで表示される動画のうち、前記主画像出力部で表示される動画を除く他の動画を表示する。
【０００９】
前記第１画像出力部は、テレビディスプレイであることが好ましい。前記第２画像出力部は、プロジェクタであることが好ましい。
【００１０】
画像表示装置は、スピーカと、前記第１受信部で受信した動画の音の音量と、前記第２受信部で受信した動画の音の音量とをそれぞれ調整して、それぞれの音を前記スピーカから出力させる制御部と、を備える。
【発明の効果】
【００１１】
本発明によれば、臨場感を感じることが可能な画像表示装置を提供することができる。
【図面の簡単な説明】
【００１２】
【図１】本発明の一実施形態に係る画像表示装置について説明するための第１の図である。
【図２】画像表示装置について説明するための第２の図である。
【図３】画像表示装置及び放送局について説明するためのブロック図である。
【図４】リモコンの一例について説明するための図である。
【図５】画像表示装置において表示される動画について説明するための図である。
【発明を実施するための形態】
【００１３】
以下、本発明の一実施形態について説明する。図１は、本発明の一実施形態に係る画像表示装置１について説明するための第１の図である。ここで、図１（Ａ）は、画像表示装置１の正面図を示す。図１（Ｂ）は、画像表示装置１の側面図を示す。図１（Ｃ）は、画像表示装置１の背面図を示す。図２は、画像表示装置１について説明するための第２の図である。
【００１４】
図１に示すように、画像表示装置１は、第１画像出力部１０と、第２画像出力部２０とを備える。第１画像出力部１０及び第２画像出力部２０は、同一の筐体に配される。
第１画像出力部１０は、動画を表示することが可能なテレビディスプレイである。
第２画像出力部２０は、動画を投影することが可能なプロジェクタである。第２画像出力部２０は、１又は複数有する。第２画像出力部２０が複数有る場合、例えば、第２画像出力部２０は、画像表示装置１（第１画像出力部１０）の筐体における右側面、左側面及び上面に配される。画像表示装置１の右側面に配される第２画像出力部２０は、画像表示装置１の右方向にある壁に動画を投影する。画像表示装置１の左側面に配される第２画像出力部２０は、画像表示装置１の左方向にある壁に動画を投影する。画像表示装置１の上面に配される第２画像出力部２０は、第１画像出力部１０の上後方にある壁に動画を投影する。第２画像出力部２０は、動画を壁に投影するときの角度を変えることが可能なように、画像表示装置１に配されることが好ましい。
【００１５】
上記のような画像表示装置１における動画表示の一例は、図２に示すようになる。すなわち、画像表示装置１は、第１画像出力部１０によってサッカーの動画を表示する。画像表示装置１は、上面に配される第２画像出力部２０（前第２画像出力部２０ａ）によって、第１画像出力部１０に表示される動画とは異なる別角度のサッカーの動画を表示する。画像表示装置１は、右側面に配される第２画像出力部２０（右第２画像出力部２０ｂ）によって、第１画像出力部１０及び前第２画像出力部２０ａとは異なる別角度のサッカーの動画を表示する。画像表示装置１は、左側面に配される第２画像出力部２０（左第２画像出力部２０ｃ）によって、サッカー場のスタンド（応援席）の動画を表示する。
【００１６】
次に、画像表示装置１の詳細について説明する。図３は、画像表示装置１及び放送局１００について説明するためのブロック図である。
【００１７】
画像表示装置１及び放送局１００から構成される放送通信連携システムは、放送波によって提供される放送サービスと、通信ネットワークを介してサーバ１２０から提供される通信サービスとを連携させることにより、放送通信連携サービスをユーザに提供する。
【００１８】
放送局１００は、放送装置１１０と、サーバ１２０とを備える。放送装置１１０は、放送波によって動画を放送する。サーバ１２０は、複数の動画を記憶する。サーバ１２０は、通信ネットワークを介して、記憶している１又は複数の動画を画像表示装置１に送信する。ここで、動画は、コンテンツと言われる場合がある。放送装置１１０及びサーバ１２０は、それぞれから動画を画像表示装置１に伝送する場合、システムクロックを共有させる。すなわち、放送装置１１０及びサーバ１２０は、伝送する動画に、基準クロックを示す情報を付加する。
【００１９】
画像表示装置１は、第１画像出力部１０と、第２画像出力部２０と、第１受信部３１と、第１同期用バッファ３２と、リクエスト生成部３３と、第２受信部３４と、第２同期用バッファ３５と、同期部３６と、切替部３７と、スピーカ３８と、制御部３９と、を備える。ここで、図３では、第１画像出力部１０を簡略化して、「第１表示部１０」と記載する。また、図３では、第２画像出力部２０を簡略化して、「第２表示部２０」と記載する。
【００２０】
第１受信部３１は、放送局１００から放送波によって送信された動画を受信する。すなわち、第１受信部３１は、放送波によって放送装置１１０から送信された動画を受信する。第１受信部３１は、例えば、チューナ及びデコーダである。第１受信部３１は、受信した動画から基準クロックを取得して、後述する制御部３９に出力する。
第１同期用バッファ３２は、第１受信部３１から出力された動画を一時的に記憶する。
【００２１】
リクエスト生成部３３は、ユーザによるリクエスト要求が有った場合、すなわち、例えば、リモコン４０（図４参照）のハイブリッドキャストボタン（図示せず）が操作された後の動画送信要求が有った場合、サーバ１２０に対してリクエストを送信する。サーバ１２０は、リクエストに応じて、画像表示装置１に対して動画を送信する。
【００２２】
第２受信部３４は、通信ネットワークを介してサーバ１２０から伝送された１又は複数の動画を受信する。第２受信部３４は、例えば、デコーダである。
第２同期用バッファ３５は、第２受信部３４から出力された動画を一時的に記憶する。
【００２３】
同期部３６は、第１受信部３１で受信された動画と第２受信部３４で受信された１又は複数の動画との同期を取る。すなわち、同期部３６は、第１同期用バッファ３２に記憶される動画と、第２同期用バッファ３５に記憶される動画について、制御部３９から供給された基準クロックと、それぞれの動画に付加されている基準クロックとに基づいて、同期を取る。
【００２４】
切替部３７は、第１画像出力部１０及び第２画像出力部２０のいずれに動画を表示するのか、動画の表示先を切り替える。すなわち、切替部３７は、第１同期用バッファ３２及び第２同期用バッファ３５から受け付けた、同期が取られた動画について、表示を行うための出力先を切り替える。切替部３７は、後述する制御部３９によって制御され、一例として、ユーザによるリモコン４０の操作に基づいて、動画の表示を切り替える。
【００２５】
図４は、リモコン４０の一例について説明するための図である。
リモコン４０は、例えば、無線通信により画像表示装置１と通信を行う。このため、リモコン４０は、画像表示装置１の通信部（図示せず）から送信された動画を受信して表示することが可能であり、画像表示装置１に対する指示を送信することが可能である。
【００２６】
リモコン４０は、例えば、タッチスクリーンディスプレイにボタン等を表示する。そのリモコン４０の左側には、チャンネルボタン及び音量ボタンが表示される。また、リモコン４０の右上領域４０ａには、画像表示装置１から送信された動画を表示する。リモコン４０の右下領域４０ｂには、第１画像出力部１０（テレビ）で表示する動画を割り当てる領域（テレビ領域４０ｃ）、画像表示装置１の左側に配される第２画像出力部２０（左：左第２画像出力部２０ｃ）で表示する動画を割り当てる領域（左領域４０ｄ）、画像表示装置１の上面に配される第２画像出力部２０（前：前第２画像出力部２０ａ）で表示する動画を割り当てる領域（前領域４０ｅ）、及び、画像表示装置１の右側に配される第２画像出力部２０（右：右第２画像出力部２０ｂ）で表示する動画を割り当てる領域（右領域４０ｆ）がある。
【００２７】
そして、一例として、右上領域４０ａに表示される「動画１」がテレビ領域４０ｃにドラッグされた場合、リモコン４０は、第１画像出力部１０（テレビ）に「動画１」を表示させるための信号を画像表示装置１に送信する。また、一例として、右上領域４０ａに表示される「動画２」が前領域４０ｅにドラッグされた場合、リモコン４０は、画像表示装置１の上面に配される第２画像出力部２０（前第２画像出力部２０ａ）に「動画２」を表示させるための信号を画像表示装置１に送信する。
【００２８】
画像表示装置１の通信部（図示せず）でリモコン４０からの信号を受信すると、制御部３９は、「動画１」が第１画像出力部１０（テレビ）に表示されるように、切替部３７を制御する。その結果、第１画像出力部１０には、「動画１」が表示される。ここで、第１画像出力部１０は、同期部３６によって同期が取られた動画のうち、いずれか１つの動画を表示する。
【００２９】
画像表示装置１の通信部（図示せず）でリモコン４０からの信号を受信すると、制御部３９は、「動画２」が画像表示装置１の上面に配される第２画像出力部２０（前第２画像出力部２０ａ）に表示されるように、切替部３７を制御する。その結果、前第２画像出力部２０ａには、「動画２」が表示される。ここで、第２画像出力部２０は、同期部３６によって同期が取られた動画のうち、第１画像出力部１０で表示される動画を除く他の動画をそれぞれ表示する。すなわち、第２画像出力部２０は、制御部３９の制御に基づいた切替部３７の切り替えに応じて、動画を表示する。第２画像出力部２０は、それぞれ１つの動画を表示する。
【００３０】
これにより、放送波によって送信された動画と、インターネットを介して送信された動画とを、第１画像出力部１０及び第２画像出力部２０のうち、ユーザの好みに応じた画像出力部に表示させることができる。
【００３１】
スピーカ３８は、動画から取り出された音（音声）を出力する。なお、スピーカ３８がサラウンドスピーカの場合には、第１画像出力部１０及び第２画像出力部２０に表示される動画に応じて、音声を出力するスピーカを変更してもよい。例えば、第１画像出力部１０（テレビ）に「動画１」が表示される場合には、画像表示装置１に配されるスピーカは、「動画１」の音声を優先的に出力する。また、画像表示装置１の左側に配される第２画像出力部２０（左第２画像出力部２０ｃ）によって「動画３」を表示する場合、画像表示装置１に対して左側に配されるスピーカ、すなわち、動画３が表示される壁に近い位置に配置されるスピーカは、「動画３」の音声を優先的に出力する。ここで、制御部３９は、スピーカ３８に出力される音（音声）信号の切り替えを制御する。
【００３２】
また、動画から取り出された音（音声）の音量は、それぞれ調整可能である。すなわち、例えば、制御部３９は、各動画の音量を調整することが可能である。より具体的には、制御部３９は、第１受信部３１で受信した動画の音の音量と、第２受信部３４で受信した動画の音の音量とをそれぞれ調整して、それぞれの音をスピーカ３８から出力させる。
【００３３】
一例として、図４に示すリモコンに表示される動画１をクリックして選択された場合には、放送波によって送信された動画の音量をリモコンの「音量」ボタンで調整することができる。また、リモコンに表示される動画２〜４をクリックして選択された場合には、通信ネットワークを介して送信された動画の音量をリモコンの「音量」ボタンで調整することができる。
【００３４】
これにより、ユーザは、放送波に基づく動画の音を大きく聞いたり、又は、通信ネットワークを介して受信した動画の音量を大きく聞いたりすることができる。具体的な一例としては、動画がサッカーの場合には、ユーザは、放送波で受けた解説中心の音声を大きく聞いたり、観客席の音を大きく聞いたり、又は、ボールを蹴る音や選手の発する声を大きく聞いたりすることができる。
【００３５】
制御部３９は、画像表示装置１を制御する。一例として、制御部３９は、第１受信部３１と、第１同期用バッファ３２と、第２同期用バッファ３５と、同期部３６と、切替部３７と、リクエスト生成部３３とを制御する。
【００３６】
また、上記のような画像表示装置１では、第２画像出力部２０は、音のレベルに応じて、表示している動画について拡大表示を行うことが好ましい。
図５は、画像表示装置１において表示される動画について説明するための図である。
音（音声信号）は、例えば、動画とは別にサーバ１２０から送信され、又は、動画に含まれる。音のレベルは、音声信号に基づいて得られる。音のレベルとは、音の強弱を表す。例えば、音のレベルが高い場合、音は大きい。第２画像出力部２０は、複数の音のレベルに応じて、現在表示中の動画について拡大表示を行ってもよい。拡大表示される動画は、高精細であることが好ましい。すなわち、拡大表示される動画は、例えば、スーパーハイビジョンの動画であることが好ましい。拡大表示の中心領域は、予め決められていることが好ましい。拡大表示を行う場合の拡大率は、予め決められていることが好ましい。
【００３７】
以下、具体的な第１例を説明する。
第２画像出力部２０（一例として、前第２画像出力部２０ａ）は、サッカー場の全体の動画を表示している（図５（Ａ）参照）。また、音は、一方のチーム側の応援席の音、及び、他方のチーム側の応援席の音である。一方のチームの選手がシュート等を行う場合には、一方のチーム側の応援が大きくなり、拡大表示を行う場合の判断基準となる音は、大きくなると考えられる。すなわち、一方のチーム側の応援席の音のレベルは高くなると考えられる。これに対し、他方のチームの選手がシュート等を行う場合には、他方のチーム側の応援が大きくなり、拡大表示を行う場合の判断基準となる音は、大きくなると考えられる。すなわち、他方のチーム側の応援席の音のレベルは高くなると考えられる。
【００３８】
ここで、拡大表示の判断基準となる音が動画に含まれて、第２受信部３４で受信される場合には、制御部３９は、第２同期用バッファ３５からその音を取得する。すなわち、制御部３９は、第２同期用バッファ３５から、一方のチーム側の応援席の音と、他方のチーム側の応援席の音とを取得する。そして、制御部３９は、取得したそれぞれの音のレベルが予め設定された閾値よりも大きくなったかを判断する。
【００３９】
一方のチームの応援席の音のレベルが閾値よりも高くなった場合、制御部３９は、一方のチームが攻め込んでいると判断し、一方のチームの得点シーンを大迫力で第２画像出力部２０に表示させるために、第２画像出力部２０（前第２画像出力部２０ａ）に表示されるサッカー場全体の動画をクリッピングして、他方のチームのゴール付近を第２画像出力部２０（前第２画像出力部２０ａ）に表示させる（図５（Ｂ）参照）。
【００４０】
これに対し、他方のチームの応援席の音のレベルが閾値よりも高くなった場合、制御部３９は、他方のチームが攻め込んでいると判断し、他方のチームの得点シーンを大迫力で第２画像出力部２０に表示させるために、第２画像出力部２０（前第２画像出力部２０ａ）に表示されるサッカー場全体の動画をクリッピングして、一方のチームのゴール付近を第２画像出力部２０（前第２画像出力部２０ａ）に表示させる。
【００４１】
音と、クリッピングする領域とは、予め対応付けられている。
これにより、画像表示装置１は、臨場感が高まるように動画を表示することができる。
【００４２】
また、画像表示装置１では、第２画像出力部２０が複数ある場合、複数の第２画像出力部２０それぞれに対して、動画を優先的に表示する１つの主画像出力部と、主画像出力部を除く他の第２画像出力部２０である従画像出力部とのいずれかが設定されることが好ましい。この場合、主画像出力部は、複数の第２画像出力部２０それぞれで表示される動画のうち、音のレベルに応じて選択された１つの動画を表示する。従画像出力部は、複数の第２画像出力部２０それぞれで表示される動画のうち、主画像出力部で表示される動画を除く他の動画を表示する。
【００４３】
すなわち、制御部３９は、複数の第２画像出力部２０それぞれに動画が表示されている場合に、音のレベル応じて、動画を表示する第２画像出力部２０を切り替えるように切替部３７を制御する。音（音声信号）は、第２受信部３４において複数が受信される。又は、音は、複数の第２画像出力部２０で表示される動画に含まれる音である。音のレベルは、音声信号に基づいて得られる。音のレベルとは、音の強弱を表す。例えば、音のレベルが高い場合、音は大きい。
【００４４】
主画像出力部は、ユーザが最も視聴し易い第２画像出力部２０である。すなわち、主画像出力部は、例えば、視聴するユーザの正面に動画を表示するものであり、前第２画像出力部２０ａとなる。従画像出力部は、主画像出力部に比べれば、ユーザが視聴し難い第２画像出力部２０である。すなわち、従画像出力部は、例えば、視聴するユーザの側方に動画を表示するものであり、左第２画像出力部２０ｃ及び右第２画像出力部２０ｂとなる。
【００４５】
以下、具体的な第２例を説明する。
前第２画像出力部２０ａ（主画像出力部）がサッカー場の全体動画を表示し、右第２画像出力部２０ｂ（従画像出力部）が一方のチームのゴール付近の動画を表示し、左第２画像出力部２０ｃ（従画像出力部）が他方のチームのゴール付近の動画を表示しているとする。また、音は、一方のチーム側の応援席の音、及び、他方のチーム側の応援席の音である。一方のチームの選手がシュート等を行う場合には、一方のチーム側の応援が大きくなり、切替表示を行う場合の判断基準となる音は、大きくなると考えられる。すなわち、一方のチーム側の応援席の音のレベルは高くなると考えられる。これに対し、他方のチームの選手がシュート等を行う場合には、他方のチーム側の応援が大きくなり、切替表示を行う場合の判断基準となる音は、大きくなると考えられる。すなわち、他方のチーム側の応援席の音のレベルは高くなると考えられる。
【００４６】
ここで、切替表示の判断基準となる音が動画に含まれて、第２受信部３４で受信される場合には、制御部３９は、第２同期用バッファ３５からその音を取得する。すなわち、制御部３９は、第２同期用バッファ３５から、一方のチーム側の応援席の音と、他方のチーム側の応援席の音とを取得する。そして、制御部３９は、取得したそれぞれの音のレベルが予め設定された閾値よりも高くなったかを判断する。一方のチームの応援席の音のレベルが閾値よりも高くなった場合、制御部３９は、一方のチームが攻め込んでいると判断し、一方のチームの得点シーンをユーザに優先的に視聴させるために、前第２画像出力部２０ａ（主画像出力部）に他方のチームのゴール付近の動画を表示し、左第２画像出力部２０ｃ（従画像出力部）にサッカー場全体の動画を表示し、右第２画像出力部２０ｂ（従画像出力部）に一方のチームのゴール付近の動画を表示するよう切替部３７を制御する。
【００４７】
次に、具体的な第３例について説明する。
前第２画像出力部２０ａ（主画像出力部）がサッカー場の全体動画を表示し、右第２画像出力部２０ｂ（従画像出力部）が一方のチームのゴール付近の動画を表示し、左第２画像出力部２０ｃ（従画像出力部）が他方のチームのゴール付近の動画を表示しているとする。音は動画の音（音声）である。すなわち、前第２画像出力部２０ａに表示される動画の音は、サッカー場全体の音である。右第２画像出力部２０ｂに表示される動画の音は、一方のチームのゴール付近の音である。左第２画像出力部２０ｃに表示される動画の音は、他方のチームのゴール付近の音である。
【００４８】
制御部３９は、前第２画像出力部２０ａに表示される動画の音、右第２画像出力部２０ｂに表示される動画の音、及び、左第２画像出力部２０ｃに表示される動画の音のうち、音のレベルが最も高くなったものを特定する。例えば、制御部３９は、左第２画像出力部２０ｃ（従画像出力部）に表示される動画の音のレベルが最も高くなったと特定した場合には、左第２画像出力部２０ｃ（従画像出力部）に表示されていた動画を前第２画像出力部２０ａに（主画像出力部）表示されるように切替部３７を制御する。さらに、制御部３９は、前第２画像出力部２０ａ（主画像出力部）に表示されていた動画を左第２画像出力部２０ｃ（従画像出力部）に表示されるように切替部３７を制御する。
【００４９】
前第２画像出力部２０ａによって表示される動画は、画像表示装置１の上背面に表示されるため、ユーザが視聴し易いと考えられる。このため、音のレベルに応じて、前第２画像出力部２０ａ（主画像出力部）に表示される動画を入れ替えることにより、画像表示装置１は、特徴ある動画をユーザに視聴させ易くすることができる。すなわち、画像表示装置１は、臨場感が高まるように動画を表示することができる。
【００５０】
以上に説明した画像表示装置１は、同期部３６によって同期が取られた動画のうち、いずれか１つの動画を第１画像出力部１０に表示し、同期部３６によって同期が取られた動画のうち、第１画像出力部１０で表示される動画を除く他の動画を第２画像出力部２０に表示する。第１画像出力部１０及び第２画像出力部２０は共に、タブレット型コンピュータではない。このため、画像表示装置１は、動画の迫力及び臨場感をユーザに感じさせることができる。
【００５１】
また、第２画像出力部２０は、音のレベルに応じて、拡大表示を行う。これにより、画像表示装置１は、臨場感が高まるように動画を表示することができる。
【００５２】
また、第２画像出力部２０のうちの主画像出力部は、複数の第２画像出力部２０それぞれで表示される動画のうち、音のレベルに応じて選択された１つの動画を表示する。第２画像出力部２０のうちの従画像出力部は、複数の第２画像出力部２０それぞれで表示される動画のうち、主画像出力部で表示される動画を除く他の動画を表示する。音のレベルに応じて、前第２画像出力部２０ａ（主画像出力部）に表示される動画を入れ替えることにより、画像表示装置１は、臨場感が高まるように動画を表示することができる。
【００５３】
第１画像出力部１０は、テレビディスプレイである。第２画像出力部２０は、プロジェクタである。第２画像出力部２０をプロジェクタとすることにより、第１画像出力部１０及び第２画像出力部２０を共にテレビとする場合に比べて、画像表示装置１を小型にすることができる。これにより、画像表示装置１は、相対的に小さな部屋に配置される場合でも大きな画像を表示することができ、ユーザに臨場感を感じさせることができる。
【００５４】
なお、上述した実施形態では、第１画像出力部１０と第２画像出力部２０とが同一の筐体に配される例について説明した。しかしながら、本発明は、この例に限定されることはない。すなわち、第２画像出力部２０は、第１画像出力部１０が配される筐体から取り外し可能となっていてもよい。また、第２画像出力部２０は、第１画像出力部１０が配される筐体とは異なる別の筐体に配され、第１画像出力部１０が配される画像表示装置本体と、有線又は無線により信号を送受信できるようになっていてもよい。このような変形例では、第２画像出力部２０の自由度が増すことにより、第２画像出力部２０によって壁に投影される動画がゆがむ可能性を少なくすることができる。
【００５５】
また、上述した実施形態では、第１画像出力部１０がテレビディスプレイであり、第２画像出力部２０がプロジェクタである例について説明した。しかしながら、本発明は、この例に限定されることはない。例えば、第１画像出力部は、プロジェクタであってもよい。また、第２画像出力部は、テレビディスプレイであってもよい。
【符号の説明】
【００５６】
１  画像表示装置
１０  第１画像出力部
２０  第２画像出力部
３１  第１受信部
３４  第２受信部
３５  第２同期用バッファ
３６  同期部
１００  放送局
１１０  放送装置
１２０  サーバ
【図１】
2015195541.tif 000003
【図２】
2015195541.tif 000004
【図３】
2015195541.tif 000005
【図４】
2015195541.tif 000006
【図５】
2015195541.tif 000007